(57)【要約】      （修正有）【課題】エレベータを点検階に呼ぶことなく乗り場呼び釦の入出力系統のハード的な機能のみを確認できるようにする。【解決手段】各階乗り場に設置されている乗り場呼び釦３と、乗り場呼び釦登録灯４と、乗り場呼び釦３が操作されると乗り場呼びを登録する乗り場呼び登録装置２と、乗り場呼び釦登録灯４の点灯を制御する乗り場呼び釦登録灯制御装置７ａと、乗りかごを乗り場呼びが登録された乗り場階に停止するように制御する乗りかご制御装置７ｂと、乗り場呼び登録装置２への乗り場呼びの登録を無効または禁止にして乗り場呼び釦３の動作の点検を行う乗り場呼び釦点検モードとを備えており、乗り場呼び釦登録灯制御装置７ａは、乗り場呼び釦点検モードに設定されている間、点検対象となる乗り場呼び釦３を所定の態様で点灯させるよう制御している。【選択図】図１
2011126615.tif 000002
【特許請求の範囲】
【請求項１】
各階乗り場に設置されている乗り場呼び釦と、前記乗り場呼び釦に設けられた乗り場呼び釦登録灯と、前記乗り場呼び釦が操作されると乗り場呼びを登録する乗り場呼び登録装置と、前記乗り場呼び釦登録灯の点灯を制御する乗り場呼び釦登録灯制御装置と、前記乗り場呼び登録装置に乗り場呼びが登録されたことに基づいて、乗りかごを乗り場呼びが登録された乗り場階に停止するように制御する乗りかご制御装置と、前記乗り場呼び登録装置への乗り場呼びの登録を無効または禁止にして前記乗り場呼び釦の動作の点検を行う乗り場呼び釦点検モードとを備え、前記乗り場呼び釦登録灯制御装置は、前記乗り場呼び釦点検モードに設定されている間、点検対象となる乗り場呼び釦を所定の態様で点灯させるよう制御することを特徴とするエレベータの乗り場呼び釦点検装置。
【請求項２】
請求項１の記載において、前記乗り場呼び釦登録灯制御装置は、前記乗り場呼び釦点検モード中は、乗り場呼び釦が押下された点検階全ての乗り場呼び釦を前記所定の態様で点灯させるよう制御することを特徴とするエレベータの乗り場呼び釦点検装置。
【請求項３】
請求項１または２の記載において、前記乗り場呼び釦点検モード中は、点検階の乗り場呼び釦が操作されたことに基づく前記乗り場呼び登録装置への乗り場呼びの登録のみを無効とすることを特徴とするエレベータの乗り場呼び釦点検装置。
【請求項４】
請求項１〜３のいずれか１項の記載において、暗号入力操作によって乗り場呼び釦点検モードの開始および終了を行うようにしたことを特徴とするエレベータの乗り場呼び釦点検装置。
【請求項５】
請求項１〜３のいずれか１項の記載において、暗号入力操作によって乗り場呼び釦点検モードを開始すると共に、前記乗り場呼び釦点検モードが開始されてから所定時間が経過した場合に、前記乗り場呼び釦点検モードを終了するようにしたことを特徴とするエレベータの乗り場呼び釦点検装置。
【発明の詳細な説明】
【技術分野】
【０００１】
本発明は、エレベータの乗り場呼び釦を点検する装置に係り、特に、乗り場呼び釦登録灯を点検する装置に関するものである。
【背景技術】
【０００２】
エレベータの保全台数が年々増加しているなか、保全作業員の減少や顧客要望による保全作業時間の制約などから保全作業の効率化が必要である。この保全作業において、各階毎に設置している乗り場呼び釦や乗り場呼び釦登録灯の点検に増大な時間を要している。
【０００３】
従来の乗り場呼び釦の点検は、各階乗り場の呼び釦を押して、その呼び釦の点灯状態とエレベータの乗りかごがその階（乗り場呼び釦を押した階）に停止することを確認して行なっている。このため、階床数が多いエレベータでは乗り場呼び釦の点検に多大な時間を要するという問題があった。
【０００４】
この問題を解決する手段として、次のような技術が開示されている。即ち、特許文献１には、エレベータの呼び釦の点検モード時、全表示器・釦消灯及び登録無効にし、その後、かご停止階で呼び釦が押されると、かご停止階の表示器のドットマトリクスＬＥＤの半分と呼び釦の応答ＬＥＤランプを点灯させることを特徴とする技術が開示されている。また、特許文献２には、運転方向保持時であっても運転方向と同方向の釦灯（乗り場呼び押し釦灯）の点灯点検が可能な、エレベータの保守方法を特徴とする技術が開示されている。
【先行技術文献】
【特許文献】
【０００５】
【特許文献１】特開２００６−２１３５０９号公報
【特許文献２】特開２００６−１９３３０９号公報
【発明の概要】
【発明が解決しようとする課題】
【０００６】
しかしながら、上記従来の点検手順では、エレベータの保守時に乗り場呼び釦のランプ・配線の確認を行うには、乗り場呼び釦を押してエレベータを呼ぶ方法しかなかった。つまり、乗り場呼び釦の点灯状態のみを点検したい場合であっても、実際にエレベータを呼んで乗り場呼び釦の点検を行うしかなかった。そのため、乗り場呼び釦の点検に時間が掛かるといった課題があった。この課題は、階床が多い場合やエレベータの台数が多い場合は尚更である。
【０００７】
また、エレベータが複数台設置され、かつ乗り場呼び釦が各エレベータ間で共用している場合は、点検時間に掛かる時間が膨大になるうえ、乗り場呼び釦の点検により無駄な乗り場呼びが登録されてしまい、サービスしている乗りかごが無駄な呼び登録に対して応答することにより、エレベータの運行効率が低下してしまうなどの課題があった。
【０００８】
この発明は、上記した課題を解決するためになされたものであり、その目的は、エレベータを点検階に呼ぶことなく乗り場呼び釦の入出力系統のハード的な機能のみを確認できるようにしたエレベータの乗り場呼び釦点検装置を提供することにある。
【課題を解決するための手段】
【０００９】
上記した課題を解決するために、本発明のエレベータの乗り場呼び釦点検装置は、各階乗り場に設置されている乗り場呼び釦と、前記乗り場呼び釦に設けられた乗り場呼び釦登録灯と、前記乗り場呼び釦が操作されると乗り場呼びを登録する乗り場呼び登録装置と、前記乗り場呼び釦登録灯の点灯を制御する乗り場呼び釦登録灯制御装置と、前記乗り場呼び登録装置に乗り場呼びが登録されたことに基づいて、乗りかごを乗り場呼びが登録された乗り場階に停止するように制御する乗りかご制御装置と、前記乗り場呼び登録装置への乗り場呼びの登録を無効または禁止にして前記乗り場呼び釦の動作の点検を行う乗り場呼び釦点検モードとを備え、前記乗り場呼び釦登録灯制御装置は、前記乗り場呼び釦点検モードに設定されている間、点検対象となる乗り場呼び釦を所定の態様で点灯させるよう制御することを特徴とするものである。
【００１０】
本発明によれば、乗り場呼び釦点検モード中は、乗り場呼び登録装置への乗り場呼びの登録が無効または禁止となるため、乗り場呼び登録装置に乗り場呼びが登録されることはない。そのため、乗りかご制御装置が乗りかごを呼ぶことがない。従って、乗り場呼び釦点検モード中は、点検対象となる乗り場呼び釦の点灯状態を目視して確認することにより、乗り場呼び釦のハード的な機能のみを点検することができることとなる。
【００１１】
なお、本発明において、「所定の態様」には、乗り場呼び釦を乗り場呼び釦点検モードの間継続して点灯する態様だけでなく、乗り場呼び釦点検モード内点滅を一定の周期で繰り返す態様、あるいは、点滅の周期が変化する態様など、あらゆる点灯の態様が含まれる。
【００１２】
また、本発明は、上記構成において、前記乗り場呼び釦登録灯制御装置は、前記乗り場呼び釦点検モード中は、乗り場呼び釦が押下された点検階全ての乗り場呼び釦を前記所定の態様で点灯させるよう制御することを特徴としている。この発明によれば、点検階全ての乗り場呼び釦の点検が一度に行えるので、点検作業の効率化を図ることができる。
【００１３】
また、本発明は、上記構成において、前記乗り場呼び釦点検モード中は、点検階の乗り場呼び釦が操作されたことに基づく前記乗り場呼び登録装置への乗り場呼びの登録のみを無効とすることを特徴としている。この発明によれば、点検を行っていない階での乗り場呼び登録は有効であるので、エレベータを点検階以外の階で使用でき、エレベータの運行効率の低下を防止できるといった利点がある。
【００１４】
また、本発明は、上記構成において、暗号入力操作によって乗り場呼び釦点検モードの開始および終了を行うようにしたことを特徴としている。この発明によれば、暗号を知っている限られた保全作業員しか点検を行うことができないので、エレベータのセキュリティーを高めることができる。
【００１５】
また、本発明は、上記構成において、暗号入力操作によって乗り場呼び釦点検モードを開始すると共に、前記乗り場呼び釦点検モードが開始されてから所定時間が経過した場合に、前記乗り場呼び釦点検モードを終了するようにしたことを特徴している。この発明によれば、所定時間が経過すると自動的に乗り場呼び釦点検モードが終了するので、点検作業の利便性が高まる。
【発明の効果】
【００１６】
エレベータの据付・検査・保守時には、乗り場呼び釦の動作確認を実施するが、従来の点検装置では、乗り場呼び釦を押下すると通常はエレベータが呼ばれてしまい、無駄停止となってしまっていた。しかし、本発明によれば、簡易的な乗り場呼び釦の動作確認として、乗り場呼び釦の押下により入出力系統のハード的な機能のみをチェックし、エレベータを呼ばずに無駄停止をさせないことが可能となるので、エレベータの乗り場呼び釦の点検作業の効率が改善されると共に、エレベータ利用者の利便性が向上するのである。
【図面の簡単な説明】
【００１７】
【図１】本発明の実施の形態例に係るエレベータの乗り場呼び釦点検装置の電気的構成図である。
【図２】本発明の実施の形態例に係るエレベータの乗り場呼び釦点検装置の点検確認の処理手順を示すフローチャートである。
【発明を実施するための形態】
【００１８】
以下、本発明の実施の形態例について図面を参照して説明する。まず、本発明の実施の形態例に係るエレベータの乗り場呼び釦点検装置が適用されるエレベータは、ロープの一端に取り付けられ、乗客が乗る乗りかごと、ロープの他端に取り付けられ、乗りかごと釣り合いを取るためのカウンタウェイトと、ロープを駆動し、乗りかごを昇降させる巻上機と、乗りかごが昇降する昇降路などを備えて構成されているが、この構成は公知であるため、ここでの説明および図示は省略する。
【００１９】
次に、本発明の実施の形態例に係るエレベータの乗り場呼び釦点検装置の電気的構成および乗り場呼び釦の点検確認の処理手順について、図１および図２を参照しながら説明する。図１には、エレベータ装置の概略構成が示されており、符号１はエレベータの乗り場ドアである。乗り場ドア１の脇には、乗り場呼びの登録操作を行う乗り場呼び登録装置２が設けられている。符号３は乗り場呼び釦、４は乗り場呼び釦登録灯である。乗り場呼び釦制御装置５は、乗り場呼び登録装置２の乗り場呼び釦３を押した際に出力される乗り場階データを受信する。通信装置６は、乗り場呼び釦制御装置５から受信したデータをエレベータ制御装置７に送信する。エレベータ制御装置７は、通信装置６から受信したデータを元に、通信装置６・乗り場呼び釦制御装置５を通して乗り場呼び釦登録灯５の点灯信号を乗り場呼び釦３に伝送している。このエレベータ制御装置７には、乗り場呼び釦登録灯４の点灯を制御するための乗り場呼び釦登録灯制御装置７ａと、乗り場呼び登録装置２に乗り場呼びが登録されたことに基づいて、乗りかごを乗り場呼びが登録された乗り場階に停止するように制御する乗りかご制御装置７ｂとが設けられている。
【００２０】
なお、本実施の形態例において、乗り場呼び登録装置２、乗り場呼び釦３、乗り場呼び釦登録灯４、乗り場呼び釦制御装置５、通信装置６、乗り場呼び釦登録灯制御装置７ａ、および乗りかご制御装置７ｂによりエレベータの乗り場点検装置が構成されている。
【００２１】
次に、本発明の実施の形態例に係るエレベータの乗り場点検装置による乗り場呼び釦の点検確認の処理手順について、図２を用いて説明する。この図２のフローチャートは、乗り場呼び釦点検モードの開始から終了までを示している。
【００２２】
まず、乗り場呼び釦３のチェックを行なう為に、乗りかご内で保全作業員が暗号入力操作を実施すると（ステップ１）、乗り場呼び釦点検モードが開始される（ステップ２）。乗り場呼び釦点検モード中は、乗り場呼び釦３を保全作業員が押下すると（ステップ３）、乗り場呼び釦３の入出力系統に異常が無ければ、乗り場呼び釦登録灯制御装置７ａは、その点検階にある全ての乗り場呼び釦登録灯４を点灯させる（ステップ４）。この時、乗りかご制御装置７ｂは、点検階（ステップ５）であれば、乗り場呼び登録装置２の登録が無効となっているので、乗り場呼びにエレベータをサービスしない（エレベータを点検階に呼んで停止することはない）（ステップ６）。
【００２３】
逆に、点検階以外の階であれば、乗り場呼び登録装置２の登録は有効であるため、乗りかご制御装置７ｂは、通常通り乗り場呼びが登録され乗り場呼びにエレベータをサービスする（エレベータを乗り場呼び登録された階に呼んで停止させる）（ステップ７）。乗り場呼び釦３のチェックが終了したら（ステップ８）、乗りかご内で保全作業員が暗号入力操作を実施すると（ステップ９）、乗り場呼び釦点検モードが解除されて乗り場呼び釦登録灯が消灯し（ステップ１０）、その後、平常運転となる（ステップ１１）。
【００２４】
このように本実施の形態例に係るエレベータの乗り場点検装置によれば、エレベータを点検階に呼ぶことなく、乗り場呼び釦３の押下により入出力系統のハード的な機能のみをチェックすることが可能となる。
【００２５】
なお、上記した実施の形態例では、暗号操作を行った場合に乗り場釦点検モードを解除するようにした（図２のステップ１０）が、この構成に代えて、乗り場呼び釦点検モードが開始されてから所定時間が経過したか否かを判断し、所定時間が経過した場合に乗り場呼び釦点検モードを終了するようにしても良い。この構成によれば、乗り場釦点検モードを終了したい場合に、その都度暗号操作を行う必要がなくなるので、操作が簡単になるといった利点がある。
【符号の説明】
【００２６】
１…乗り場ドア
２…乗り場呼び登録装置
３…乗り場呼び釦
４…乗り場呼び釦登録灯
５…乗り場呼び釦制御装置
６…通信装置
７…エレベータ制御装置
７ａ…乗り場呼び釦登録灯制御装置
７ｂ…乗りかご制御装置
【図１】
2011126615.tif 000003
【図２】
2011126615.tif 000004